(57)【要約】【課題】  輪郭、横断面、剛性、直径などのような特性値と同様な要件を有する輪郭成分の等しい寸法の半仕上げ製品を提供すること。【解決手段】  パイプ、ロッド或いは他の中空或いは中実輪郭ようなリング精紡機に使用される半仕上げ製品の一様性を達成させるために、長手方向成分（６，１１，３８）と（１６，２９，３０，３９，４１）や輪郭、横断面、剛性、直径などのような特性値と同様な要件を備える縦方向成分（３，１３，４３）或いは水平方向成分（２５，２６，２７と４０）の等しい寸法の半仕上げ製品を使用することが提案される。
2009506225.tif 000002
【特許請求の範囲】
【請求項１】
輪郭パイプ、輪郭ロッドなどのような半仕上げ製品から成る異なった機能の成分を有する紡糸機、特に粗紡機或いはリング精紡機において、各場合に等しい寸法の半仕上げ製品が輪郭、横断面、剛性、直径などのような特性値と同様な要件を有する成分（３，６，１１，１３，３８，４３或いは１６，２９，３０，３９，４０，４１）のために使用されることを特徴とする紡糸機。
【請求項２】
等しい直径と等しい壁厚のパイプがスピンドル軸受ケーシング（７）用の支持パイプ（６）として、支持積込みアーム（１２）用の支持パイプ（１１）として、ボビン変更装置の鋏システム（３３）用の押圧／引張パイプ（３８）として、中間コラムのスタンドパイプ（３）として、糸巻軸架台（１４）用の支持柱（１３）として、懸架ホルダー（４２）の保持パイプ（４１）用の支持パイプ（４３）として或いはこれらの個々の適用のために使用されることを特徴とする請求項１に記載された紡糸機。
【請求項３】
等しい直径と等しい壁厚のパイプが風船収縮リング（１９）用の支持パイプ（２９）として、移動ねじガイド（２０）用の支持パイプ（３０）として、リングレール（１８）、風船収縮リング（１９）と移動ねじガイド（２０）の柔軟な引張部材（１７）用の引張パイプ（１６）として、ロービング用偏向パイプ（３９）として、これら偏向パイプ用の支持パイプ（４０）として、懸架ホルダー（４２）用の保持パイプ（４１）として或いはこれらの個々の適用のために使用されることを特徴とする請求項１或いは請求項２に記載された紡糸機。
【請求項４】
長手方向成分（６，１１，３８；２９，３０，１６，３９，４１）は標準システム決定長さを有することを特徴とする請求項４に記載された紡糸機。
【請求項５】
６８．７５ｍｍ，７５ｍｍと８２．５ｍｍのスピンドル分割の長手方向成分が１６５０ｍｍの標準長さを有することを特徴とする請求項４に記載された紡糸機。
【発明の詳細な説明】
【技術分野】
【０００１】
この発明は、輪郭パイプ、輪郭ロッドなどのような半仕上げ製品から成る異なった機能の成分を有する紡糸機、特に粗紡機或いはリング精紡機に関する。
【背景技術】
【０００２】
そのような紡糸機では、縦中間コラムに加えて、複数の長手方向成分が生じて、その成分のために増加する用途は特に固体材料から成る丸い横断面のパイプやロッド、しかし正方形或いは長方形横断面の中空或いは中実輪郭のような半仕上げ製品として知られているものから形成される。一般には、これら長手方向成分の寸法が設定要件によって選定される。
【０００３】
この結果は、複数の異なるパイプ、ロッドと異なるタイプの輪郭が使用されることである。これら半仕上げ製品の保存を備えると、仕事計画において著しい在庫保持と労力を必要とし、さらに残り在庫をまねく。
【特許文献１】ドイツ特許第８９９６０８号明細書
【特許文献２】米国特許第２２９５９３５号明細書
【特許文献３】欧州特許出願公開第１３７５７９８号明細書
【発明の開示】
【発明が解決しようとする課題】
【０００４】
それ故に、この発明の目的は、ここで標準化を求めることであった。それ故に、この発明は輪郭、横断面、剛性、直径などのような特性値と同様な要件を有する輪郭成分の等しい寸法の半仕上げ製品を提供することを提案する。それにより、多数の成分が同じ半仕上げ製品から製造され得ることが達成される。多くの成分の可能な過剰寸法は達成され得る標準化を参照して甘受され得る。
【課題を解決するための手段】
【０００５】
それ故に、この発明は、スピンドル軸受ケーシング用の長手方向部材を製造するために、等しい大きな直径と等しい大きな壁厚のパイプから保持積込みアームの長手方向部材、ボビン変更装置の鋏システム用の押圧／引張パイプ、中間コラムの縦パイプと糸巻軸架台用の保持柱を提供する。等しい小さい直径と等しい小さい壁厚のパイプは同様に移動ねじガイド、風船収縮リングの長手方向に走行する支持部材のために、リングレール、移動ねじガイド、風船収縮リングの柔軟な引張部材の引張パイプや粗紡偏向パイプのために使用される。
【０００６】
さらに、同様な成分の寸法設定の標準化が他の長手方向、縦方向或いは水平方向にまで延びていることが認識される。
【０００７】
長手方向成分の長手方向寸法が標準化され得るならば、それ以上の標準化が行われる。それで、まだ、公表された形態ではないドイツ特許出願公開第１０２００４０４２９１４号明細書は１６５０ｍｍの標準長さにおいて残部なしに収容され得る８２．５ｍｍ，７５ｍｍと６８．７５ｍｍの分割間隔を提供するように提案する。それ故に、長手方向成分のこの標準長さ或いは複数のこの標準長さ或いは残部なしに分割できる長さが基準として推薦されている。
【０００８】
縦方向パイプと糸巻軸架台用の支持柱が長手方向成分のこの標準長さに組み込まれることができなく、他の長さを有することが認識される。
【０００９】
図はリング精紡機を通る半側面横断面を例示し、等しい半仕上げ製品から成る成分が再生産される。リング精紡機の他の側面が鏡対称デザインを有することが明らかである。
【発明を実施するための最良の形態】
【００１０】
リング精紡機１はベーススタンド２を有し、このベーススタンドから縦方向スタンドパイプ３が上方に延びていて、長方形横断面の吸引抽出ダクト４を保持する。このスタンドパイプにはブリッジ５が固定されていて、その外端で二つの長手方向に走行する平行支持パイプ６を保持し、スピンドルとそれに取り付けられたコップ８用の軸受ケーシング７が着座されている。
【００１１】
連条機１０のブラケット９が吸引抽出ダクト４に静止する。ブラケット９を通して支持積込みアーム１２用の二つの長手方向に走行する平行支持パイプ１１が延びている。粗紡ボビン１５が懸架される糸巻軸架１４の縦方向に走行支持する柱１３がブラケット９から出ている。  
【００１２】
三つの相互に平行に移動できる長手方向パイプ１６が吸引抽出ダクト４に横方向に案内されていて、リングレール１８、風船収縮リング１９と移動ねじガイド２０の持上げ運動用の柔軟な引張部材１７が固定されている。柔軟な引張部材１７はローラ２１を介して縦方向に下方に走行し、支持部材２２、２３と２４を介して固定ブッシュ２８に案内される持上げパイプ２５、２６と２７に連接されている。
【００１３】
長手方向に走行する支持パイプ２９と３０が持上げパイプ２６と２７の上端に固定されていて、風船収縮リング１９と移動ねじガイド２０を保持する。リングレール１８の持上げパイプ２５がクロス部材３１を備えていて、リングレールがクロス部材に横たわる。
【００１４】
ベーススタンド２のブーム３２にはリング精紡機のボビン変更装置３３が配列されている。このボビン変更装置は鋏アーム３４と３５を備える複数の有名な鋏システムから成り、一方ではグリッパー３７を備えるグリッパーバー３６は配列され、他方では機械に沿って走行する押圧／引張パイプ３８によって揺動できる。
【００１５】
明白であるように、スピンドル軸受ケーシング７の長手方向部材６、連条機１０の支持パイプ１２、ボビン変更装置３３の押圧／引張パイプ３８、中間コラムの縦方向パイプ３と糸巻軸架４の支持パイプ１１がここで少なくとも等しい直径のパイプから成る。曲げ強度或いは押圧／引張強度によるこれらパイプの積込みは異なっている。それ故に、パイプの少なくとも一つの壁厚がこれらの最高強度要件を満たすように選択されなければならない。仮に強度が多くの適用において必要とされた強度より高いならば、これは達成された標準を参照して甘受され得る。これらのチューブの直径は例えば有益には約２５−５０ｍｍに達し、その壁厚が２−５ｍｍに達する。
【００１６】
この場合には、長手方向に走行するパイプ６、１１と３８は例えば１６５０ｍｍのシステム長さを有する。対照により、縦方向に走行するパイプ３と１３の長さが機械の高さ寸法に依存して、これらは他の、概してより短い長さを有する。
【００１７】
リングレール１８、風船収縮リング１９と移動ねじガイド２０の持上げ運動用の長手方向に走行する引張パイプ１６が同様に等しい直径のパイプから製造され得る。これらのパイプの直径が例えば有益には約２５ｍｍに達し、その壁厚が２ｍｍに達する。これらのパイプは例えば１６５０ｍｍのシステム長さを有する。
【００１８】
仮に適切ならば、リングレール１８、風船収縮リング１９と移動ねじガイド２０の縦方向持上げパイプ２５、２６と２７がパイプに指定された長手方向パイプと同じパイプから生産され得る。ここでは、縦方向に配列されたパイプが１６５０ｍｍの長手方向成分の標準長さに組み込まれ得なく、より僅かな長さ有することが認識された。
【００１９】
記載されたタイプの標準パイプはリング精紡機の糸巻軸架に使用され得る。それで、これらの偏向ロッドの粗紡ボビン１５と支持ロッド４０から走行する粗紡糸の偏向ロッド３９は成分１６、２５、２６、２７、２９と３０のために小さい直径のパイプから製造され得る。仮に適切ならば、そのようなパイプが同様に長手方向に走行する保持パイプ４１のために使用され得て、粗紡ボビン１５の懸架ホルダー４２が保持パイプ４１に固定されている。対照により、ボビンを保持する支持パイプ４３のために、成分３、６、１１、１３或いは３８のために、大きな直径のパイプが必要とされ得る。
【００２０】
異なる或いは等しい直径の少なくとも一つの他のパイプ寸法が記載された二つのパイプ寸法の上下に設けられ得る。異なる直径の場合には、異なる壁厚を有するか、或いは固体材料から成り、等しい直径の場合には、同様に固体材料から成る。それ故に、材料の選択と寸法決めの調整は一般に知られた基準によって行なわれ得る。
【００２１】
等しい寸法のパイプの使用は、異なる目的のために役立つパイプが異なる表面処理を受ける状況を除外しない。それで、表面処理はクロムメッキされ、磨かれるか、或いは外に処理され得る。粗紡（ロービング）用の偏向パイプ３９がサンドブラストされ得るか、或いはオレンジ皮面を備えて、粗紡糸の容易な滑りを達成させる。
【００２２】
この発明は無論、同様に輪郭部品が使用されるすべての他の紡糸機に使用され得る。
【図面の簡単な説明】
【００２３】
【図１】リング精紡機を通る半側面横断面を例示する。
【符号の説明】
【００２４】
１．．．．リング精紡機
２．．．．ベーススタンド
３．．．．スタンドパイプ
４．．．．吸引抽出ダクト
５．．．．ブリッジ
６．．．．支持パイプ
７．．．．スピンドル軸受ケーシング
８．．．．ボビン
９．．．．ブラケット
１０．．．連条機
１１．．．支持パイプ
１２．．．支持積込みアーム
１３．．．支持柱
１４．．．糸巻軸架
１５．．．粗紡糸ボビン
１６．．．長手方向パイプ
１７．．．柔軟な引張部材
１８．．．リングレール
１９．．．風船収縮リング
２０．．．移動ねじガイド
２１．．．柔軟な引張部材の偏向ロール
２２．．．リングレールの支持部材
２３．．．風船収縮リングの支持部材
２４．．．移動ねじガイドの支持部材
２５．．．リングレールの持上げパイプ
２６．．．風船収縮リングの持上げパイプ
２７．．．移動ねじガイドの持上げパイプ
２８．．．ガイドブッシュ
２９．．．風船収縮リングの支持パイプ
３０．．．移動ねじガイドの支持パイプ
３１．．．リングレールのクロス部材
３２．．．ブーム
３３．．．ボビン変更装置
３４．．．鋏アーム
３５．．．鋏アーム
３６．．．グリッパーバー
３７．．．グリッパー
３８．．．押圧／引張パイプ
３９．．．粗紡用の偏向ロッド
４０．．．偏向ロッド用の支持パイプ
４１．．．懸架ホルダーの保持チューブ
４２．．．粗紡糸ボビンの懸架ホルダー
４３．．．保持パイプ４１の支持パイプ
【図１】
2009506225.tif 000003
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
輪郭パイプ、輪郭ロッドなどのような半仕上げ製品から成る異なった機能の成分を有する紡糸機、特に粗紡機或いはリング精紡機において、等しい直径と等しい壁厚の第一パイプがスピンドル軸受ケーシング（７）用の支持パイプ（６）として、支持積込みアーム（１２）用の支持パイプ（１１）として、ボビン変更装置の鋏システム（３３）用の押圧／引張パイプ（３８）として、中間コラムのスタンドパイプ（３）として、糸巻軸架台（１４）用の支持柱（１３）として、懸架ホルダー（４２）の保持パイプ（４１）用の支持パイプ（４３）として或いはこれらの個々の適用のために使用され、そして再び等しい直径と等しい壁厚の第二パイプが風船収縮リング（１９）用の保持パイプ（２９）として、移動ねじガイド（２０）用の支持パイプ（３０）として、リングレール（１８）、風船収縮リング（１９）と移動ねじガイド（２０）の柔軟な引張部材（１７）用の引張チューブ（１６）として、ロービング用偏向パイプ（３９）として、これら偏向パイプ用の支持パイプ（４０）として、懸架ホルダー（４２）用の保持パイプ（４１）として或いはこれらの個々の適用のために使用されることを特徴とする紡糸機。
【請求項２】
長手方向成分（６，１１，３８；２９，３０，１６，３９，４１）のために使用された第一と第二パイプが標準システム決定長さを有することを特徴とする請求項１に記載された紡糸機。
【請求項３】
６８．７５ｍｍ，７５ｍｍと８２．５ｍｍのスピンドル分割の長手方向成分が１６５０ｍｍの標準長さを有することを特徴とする請求項２に記載された紡糸機。
【手続補正書】
【提出日】平成20年6月20日(2008.6.20)
【手続補正１】
【補正対象書類名】明細書
【補正対象項目名】００１９
【補正方法】変更
【補正の内容】
【００１９】
記載されたタイプの標準パイプはリング精紡機の糸巻軸架に使用され得る。それで、これらの偏向ロッドの粗紡ボビン１５と支持ロッド４０から走行する粗紡糸の偏向パイプ３９は成分１６、２５、２６、２７、２９と３０のために小さい直径のパイプから製造され得る。仮に適切ならば、そのようなパイプが同様に長手方向に走行する保持パイプ４１のために使用され得て、粗紡ボビン１５の懸架ホルダー４２が保持パイプ４１に固定されている。対照により、ボビンを保持する支持パイプ４３のために、成分３、６、１１、１３或いは３８のために、大きな直径のパイプが必要とされ得る。
【手続補正２】
【補正対象書類名】明細書
【補正対象項目名】００２４
【補正方法】変更
【補正の内容】
【００２４】
１．．．．リング精紡機
２．．．．ベーススタンド
３．．．．スタンドパイプ
４．．．．吸引抽出ダクト
５．．．．ブリッジ
６．．．．支持パイプ
７．．．．スピンドル軸受ケーシング
８．．．．ボビン
９．．．．ブラケット
１０．．．連条機
１１．．．支持パイプ
１２．．．支持積込みアーム
１３．．．支持柱
１４．．．糸巻軸架
１５．．．粗紡糸ボビン
１６．．．長手方向パイプ
１７．．．柔軟な引張部材
１８．．．リングレール
１９．．．風船収縮リング
２０．．．移動ねじガイド
２１．．．柔軟な引張部材の偏向ロール
２２．．．リングレールの支持部材
２３．．．風船収縮リングの支持部材
２４．．．移動ねじガイドの支持部材
２５．．．リングレールの持上げパイプ
２６．．．風船収縮リングの持上げパイプ
２７．．．移動ねじガイドの持上げパイプ
２８．．．ガイドブッシュ
２９．．．風船収縮リングの支持パイプ
３０．．．移動ねじガイドの支持パイプ
３１．．．リングレールのクロス部材
３２．．．ブーム
３３．．．ボビン変更装置
３４．．．鋏アーム
３５．．．鋏アーム
３６．．．グリッパーバー
３７．．．グリッパー
３８．．．押圧／引張パイプ
３９．．．粗紡用の偏向パイプ
４０．．．偏向ロッド用の支持パイプ
４１．．．懸架ホルダーの保持チューブ
４２．．．粗紡糸ボビンの懸架ホルダー
４３．．．保持パイプ４１の支持パイプ
【国際調査報告】
2009506225.tif 000004
2009506225.tif 000005
2009506225.tif 000006
2009506225.tif 000007
2009506225.tif 000008
2009506225.tif 000009